(57)【要約】【課題】筐体の表面に着脱自在にケースをスライドさせて嵌合する構造の電子機器において、嵌合したケースの取り外しを容易に行える構造の電子機器を提供する。【解決手段】電子機器１００は折り畳み式の第１筐体７０と第２筐体８０を有する。第１筐体７０の外ケース１０と内ケース２０同士は、スライド方向にスライドして着脱可能で、通常は、ネジ３０(不図示)で固定されている。固定状態では、（Ａ）に示すように、筐体を開いたとき、第１筐体７０の外ケース１０の外ケース端部１５に、第２筐体８０の開閉ストッパー８５が突き当たって静止し、その角度は約１６５度である。ネジ３０を外して、さらに、開閉角を広げると、外ケース端部１５が開閉ストッパー８５に押されて、押圧力を受け、内ケース２０と外ケース１０間の嵌合爪（不図示）の抗力に抗して、内ケース２０に対して外ケース１０がスライドして、（Ｂ）の状態になり、簡単に取り外せる。【選択図】図４
2010178189.tif 000002
【特許請求の範囲】
【請求項１】
第１の筐体と第２の筐体とがヒンジで回動自在に連結された電子機器であって、
前記第１の筐体は、
前記ヒンジの回転対の一方に固定された第２のケースと、
この第２のケースに対して、第２のケースの主面に平行で前記ヒンジの回転軸に直交する方向にスライドして着脱し、前記ヒンジの近傍に端部を有する第１のケースと
スライドして装着した状態で第１のケースと第２のケースとを固定するネジとを有し、
前記ヒンジの回転対の他方に固定された前記第２の筐体は、
前記ヒンジ側の近傍にストッパーを有し、
前記第１のケースと第２のケースとがネジで固定された状態で前記第１の筐体と第２の筐体を開いたときに、前記第１のケースの前記端部と前記第２の筐体の前記ストッパーとが突き当たって所定の開閉角度で停止し、前記ネジを外した状態でさらに広い角度に前記第１の筐体と第２の筐体を開いたときに、前記第１のケースの前記端部が前記第２の筐体の前記ストッパーに押されて、前記第１のケースと第２のケースとが外れる方向へスライドすることを
特徴とする電子機器。
【請求項２】
前記第１のケースおよび第２のケースは、前記スライドして装着した状態で、両ケース間を嵌合して両ケースの主面に垂直な方向の取り外しを防ぐ嵌合爪をそれぞれにさらに有し、前記第１のケースと第２のケースとが外れる方向へスライドしたときに、前記嵌合爪による嵌合も外れることを特徴とする請求項１記載の電子機器。
【請求項３】
前記ストッパーは、弾性状樹脂でできていることを特徴とする請求項１記載の電子機器。
【請求項４】
前記ネジは、前記第１のケースの前記端部の近傍に設けられることを特徴とする請求項１記載の電子機器。
【発明の詳細な説明】
【技術分野】
【０００１】
本発明は、筐体の表面に着脱自在にケースをスライドさせて嵌合する構造の電子機器に関し、特に、このケースの取り外しが容易に行える構造の電子機器に関する。
【背景技術】
【０００２】
携帯電話機等で、筐体の表面に着脱自在なケースをスライドして嵌合させる構造がある。例えば、化粧パネル、電池蓋、その他のケースなどである。これらをスライドして嵌合した状態では、筐体とケースとの係合部分は、ガタが生じないように互いに押さえつけられた状態となり抗力が発生する。さらに、嵌合した状態では、筐体本体とケースとは一体化されて出っ張り等の手を掛ける部分がない。そのため、取り外す時には相当な力を必要とし、場合によっては、治具などを必要とすることがある。また、ケースに手を掛ける部分を設ける必要などがある。
【０００３】
このようなスライド嵌合の電子機器がある（例えば、特許文献１参照。）。この特許文献１の電子機器は、ストレートタイプの携帯電話機であり、電子機器カバー（電池カバー３）が、筐体本体１の裏面側でスライドして筐体本体１に取り付けられ、各種係合部分が合わさった状態で嵌合する。この嵌合した状態では、各種係合部分により、スライド取出方向Ｓの移動を規制する力が加わるようになっている。さらに、嵌合した状態では、筐体本体１と電子機器カバー（電池カバー３）とは一体化されて出っ張り等がないために、電子機器カバー（電池カバー３）に手指を引っ掛ける部位を設けないと、取り外しにくい。
【０００４】
また、同様のスライド嵌合の電子機器がある（例えば、特許文献２参照。）。この特許文献２の電子機器は、折り畳み式の携帯電話機であり、化粧パネル４が、折り畳み式の一方の筐体２の背面カバー２１に対してスライドして取り付けられ、各種係合部分が合わさった状態で嵌合する。この嵌合した状態では、各種係合部分により、スライドに対する抗力が加わるようになっている。さらに、嵌合した状態では、背面カバー２１と化粧パネル４とは一体化されて出っ張り等がないために、取り外しにくい。化粧パネル４に手指を引っ掛ける部位を設けるとデザイン上も好ましくなく、専用の取り外し治具などを設けても、化粧パネル４に傷が付いたりすることがある。
【先行技術文献】
【特許文献】
【０００５】
【特許文献１】特開２００７−３３５２０１号公報（段落００４０〜００５２、図１〜図７）
【特許文献２】特開２００６−２７８９７８号公報（段落００２０〜００３０、図１〜図４）
【発明の概要】
【発明が解決しようとする課題】
【０００６】
特許文献１、２の電子機器では、着脱自在なケースを取り外すために、専用の取り外し治具などを設けても、ケースに傷が付いたりすることがある。また、このケースに手指を引っ掛ける部位を設ける必要があり、デザイン上の制約がある。
【０００７】
本発明は、筐体の表面に着脱自在にケースをスライドさせて嵌合する構造の電子機器において、嵌合したケースの取り外しを容易に行える構造の電子機器を提供することを目的とする。
【課題を解決するための手段】
【０００８】
上記目的を達成するために、本発明の電子機器は、第１の筐体と第２の筐体とがヒンジで回動自在に連結された電子機器であって、前記第１の筐体は、前記ヒンジの回転対の一方に固定された第２のケースと、この第２のケースに対して、第２のケースの主面に平行で前記ヒンジの回転軸に直交する方向にスライドして着脱し、前記ヒンジの近傍に端部を有する第１のケースとスライドして装着した状態で第１のケースと第２のケースとを固定するネジとを有し、前記ヒンジの回転対の他方に固定された前記第２の筐体は、前記ヒンジ側の近傍にストッパーを有し、前記第１のケースと第２のケースとがネジで固定された状態で前記第１の筐体と第２の筐体を開いたときに、前記第１のケースの前記端部と前記第２の筐体の前記ストッパーとが突き当たって所定の開閉角度で停止し、前記ネジを外した状態でさらに広い角度に前記第１の筐体と第２の筐体を開いたときに、前記第１のケースの前記端部が前記第２の筐体の前記ストッパーに押されて、前記第１のケースと第２のケースとが外れる方向へスライドすることを特徴とする。
【発明の効果】
【０００９】
本発明によれば、筐体の表面に着脱自在にケースをスライドさせて嵌合する構造の電子機器において、嵌合したケースの取り外しを容易に行うことができる。
【図面の簡単な説明】
【００１０】
【図１】本発明の実施例に係る電子機器１００の外観斜視図。
【図２】本発明の実施例に係る電子機器１００の第１筐体７０の分解斜視図。
【図３】本発明の実施例に係る電子機器１００の断面図（ネジ３０部分および嵌合爪１３部分）。
【図４】本発明の実施例に係る電子機器１００の断面図（開閉ストッパー８５部分）。
【発明を実施するための形態】
【００１１】
図１は、本発明の実施例に係る電子機器１００の外観斜視図である。電子機器１００は折り畳み式の携帯電話機の例であり、図１の（Ａ）は折り畳んで閉じた状態、（Ｂ）は開いた状態である。
【００１２】
電子機器１００は、第１筐体７０と第２筐体８０とがヒンジ９０により回動自在に連結した構造である。第１筐体７０は、主表示部（不図示）や音声レシーバ（不図示）を有する筐体である。第２筐体８０は、操作キー（不図示）やマイクロホン（不図示）を有する筐体である。
【００１３】
ヒンジ９０は、回転対である第１ヒンジ９１と第２ヒンジ９２から構成され、第１ヒンジ９１に第１筐体７０が取り付けられ、第２ヒンジ９２に第２筐体８０が取り付けられて、第１筐体７０と第２筐体８０とが回動する。
【００１４】
第１筐体７０は、外ケース１０（閉じた状態で外側になる第１ケース）と内ケース２０（閉じた状態で内側になる第２ケース）を有する。外ケース１０は、いろいろなデザインのものが用意され、ユーザの好みで選択することができ、外ケース１０を内ケース２０に対して図示のスライド方向にスライドして着脱および嵌合する。このスライド方向は、第１筐体７０の主面に平行でヒンジ９０の回転軸に直交した方向である。  
内ケース２０には、主表示部（不図示）や音声レシーバ（不図示）が備わる。
【００１５】
第２筐体８０は、ヒンジ９０側の端部に開閉ストッパー８５を有する。第１筐体７０と第２筐体８０とを最大まで開くと、外ケース１０の外ケース端部１５が開閉ストッパー８５に突き当たって止まり、その開閉角は約１６５度になる。
【００１６】
開閉ストッパー８５は、エラストマー（Ｒ）などの弾性体の材質でできており、突き当たる外ケース端部１５が傷つかないようになっている。
【００１７】
この外ケース１０と内ケース２０のスライド構造について、次に説明する。  
図２は、本発明の実施例に係る電子機器１００の第１筐体７０の分解斜視図である。  
第１筐体７０は、外ケース１０、内ケース２０、この両ケースをネジ止めするネジ３０などを有する。ヒンジ９０の回転対の一方である第１ヒンジ９１は、第１ヒンジ内カバー９１１と第１ヒンジ外カバー９１２とを有して、内ケース２０に取り付けられる。なお、第１ヒンジ９１は、内ケース２０と一体に構成されていてもよい。
【００１８】
外ケース１０は、側面嵌合爪１１（左右側面合計６個）、嵌合爪１２（ヒンジと反対側の端面部に２個）、嵌合爪１３（ヒンジ側に２個）、ネジ受け１４（２個）、外ケース端部１５（ヒンジ近傍の端部）、外ケース端部１６などを有する。内ケース２０は、側面嵌合爪２１（左右側面合計６個）、嵌合爪２２（ヒンジと反対側の端面部に２個）などを有する。また、第１ヒンジ内カバー９１１にはネジ穴９４（２個）が形成され、第１ヒンジ外カバー９１２には嵌合爪９３（２個）を有する。
【００１９】
対向する側面嵌合爪１１と側面嵌合爪２１、嵌合爪１２と嵌合爪２２、嵌合爪１３と嵌合爪９３のそれぞれのペアで嵌合する。
【００２０】
次に、外ケース１０と内ケース２０のスライド装着の手順について説明する。装着するときは、まず、上記ペアの爪が第１筐体７０の主面に垂直な方向で重ならないようにスライド方向にずらした状態で、また、それぞれケースの側面を合わせて重ね合わせる。そして、外ケース１０を内ケース２０の第１ヒンジ９１の方向にスライドさせて装着する。
【００２１】
この装着された状態では、上記ペアの爪同士が嵌合して、外ケース１０と内ケース２０が主面に垂直な方向には抜けない状態となり、また、両ケース間にガタが生じないようにペアの爪同士が重なってペアの爪同士の間に抗力が発生している。
【００２２】
したがって、上記スライドして装着するときには、最初の段階では抗力が発生しないが、ペアの爪同士が重なってきた後半の段階では抗力が発生し、スライドさせるのに多少の力を必要とする。しかし、外ケース１０の外ケース端部１６が内ケース２０の端部より外側にあるので、外ケース端部１６を指で第１ヒンジ９１の方向に押し込むことで容易にスライド装着することができる。スライド装着が終わると、次に、ネジ３０をネジ穴９４に通して、ネジ受け１４にねじ込んで固定し、外ケース１０と内ケース２０の取り付け固定が完了する。
【００２３】
外ケース１０と内ケース２０を取り外す場合、まず、ネジ３０を外したあと、外ケース１０を内ケース２０からスライドさせて取り外すが、このとき、嵌合爪による抗力が発生しており、さらに、外ケース１０と内ケース２０は端部同士が重なって指をかけるところがないために、大変取り外しにくい。この取り外しの手順については、後（図４）で説明する。
【００２４】
次に、図２で矢視したネジ３０部断面と嵌合爪１３部断面について説明する。  
図３は、本発明の実施例に係る電子機器１００の断面図であり、図３の（Ａ）は、図２で矢視したネジ３０部断面、図３の（Ｂ）は、図２で矢視した嵌合爪１３部分の断面図である。第１筐体７０と第２筐体８０の開閉角は約１６５度で、外ケース１０と内ケース２０の取り付け固定が完了した状態について図示する。
【００２５】
図３の（Ａ）において、第１筐体７０の外ケース１０と内ケース１０とは、ネジ３０がネジ穴９４を貫通して、ネジ受け１４にねじ込まれて、固定されている。第２筐体８０の端部には、ヒンジ９０の回転対の一方の第２ヒンジ９２が固定されている。
【００２６】
図３の（Ｂ）において、第１筐体７０の外ケース１０の嵌合爪１３は、スライドして取り付ける時点で、ヒンジ９１のカバー部に設けられた嵌合爪９３に乗り上げて、さらに、奥に押し込まれて、嵌合爪１３と嵌合爪９３が嵌合した状態となる。したがって、ネジ３０を外した状態でも、外ケース１０と内ケース１０とをスライドして取り外す段階では、この嵌合爪１３と嵌合爪９３との嵌合、および、図２で説明した側面嵌合爪１１と側面嵌合爪２１の嵌合、嵌合爪１２と嵌合爪２２の嵌合による抗力が発生して、取り外しにくい状態である。
【００２７】
次に、外ケース１０と内ケース２０のスライド取り外しの手順について説明する。  
図４は、本発明の実施例に係る電子機器１００の断面図であり、図１で矢視した開閉ストッパー８５部分の断面である。図４の（Ａ）は、第１筐体７０と第２筐体８０の開閉角１６５度の状態、（Ｂ）は、ネジ３０を外して、開閉角をさらに広げて１８０度にした状態を示す。
【００２８】
図４の（Ａ）は、外ケース１０と内ケース２０がネジ３０でネジ止めされた状態において、第１筐体７０と第２筐体８０を開いていって、約１６５度の開閉角で、第１筐体７０の外ケース１０の外ケース端部１５が第２筐体８０の開閉ストッパー８５に突き当たった状態である。外ケース１０は、しっかりとネジ３０で外ケース端部１５の近傍で内ケース２０とネジ止めされているので、外ケース端部１５が開閉ストッパー８５に押されても、ネジ３０で固定された内ケース２０も動かず、この１６５度以上には開かない。
【００２９】
次に、外ケース１０と内ケース２０のスライド取り外しの手順について詳しく説明する。まず、ネジ３０を外して、外ケース１０と内ケース２０とがフリーになるようにする。ただし、その状態でも嵌合爪による抗力があるため、手で外ケース１０を直接握ってスライドすることはむずかしい。
【００３０】
本発明では、手で、第１筐体７０と第２筐体８０を開いていって、約１６５度の開閉角になると、図４の（Ａ）に示したように、第１筐体７０の外ケース１０の外ケース端部１５が第２筐体８０の開閉ストッパー８５に突き当たる。
【００３１】
ただし、ネジ３０は外しているので、さらに、開閉角を広げる、すなわち、第１ヒンジ９１に固定された内ケース２０を開閉角が１６５度以上に広がる方向に手で押すと、外ケース端部１５が開閉ストッパー８５に押されて、スライドの取り外し方向の押圧力を受ける。この押圧力は、内ケース２０と外ケース１０間の嵌合爪による抗力よりも大きな力が発生し、内ケース２０に対して外ケース１０がスライドし、取り外し方向に移動し、図４の（Ｂ）に示すように開閉角１８０度まで開いた状態では、内ケース２０に対して外ケース１０がスライドしている。
【００３２】
このように、開閉角１８０度まで開いた状態では、嵌合爪による嵌合もほぼ外れて嵌合の抗力もなくなっており、あとは、手で外ケース１０を直接握っても簡単に取り外すことができる。また、外ケース１０のヒンジと反対側の外ケース端部１６も、内ケース２０の端部からずれているので、この部分に指を掛けることができ、簡単に取り外すことができる。
【００３３】
以上説明したように本発明の実施例によれば、筐体の表面に着脱自在にケースをスライドさせて嵌合する構造の電子機器において、嵌合したケースの取り外しを行うための専用の治具を設ける必要がなく、ケースに傷を付けることがなく、また、ケースに手指を引っ掛ける部位を設ける必要がなく、ケースの取り外しを容易に行うことができる。
【００３４】
なお、本発明の電子機器は、携帯電話機、ＰＨＳ、その他、折り畳み式の構造の装置に応用することができる。
【符号の説明】
【００３５】
１０  外ケース
１１  側面嵌合爪
１２  嵌合爪
１３  嵌合爪
１４  ネジ受け
１５  外ケース端部
１６  外ケース端部
２０  内ケース
２１  側面嵌合爪
２２  嵌合爪
３０  ネジ
７０  第１筐体
８０  第２筐体
８５  開閉ストッパー
９０  ヒンジ
９１  第１ヒンジ
９１１  第１ヒンジ内カバー
９１２  第１ヒンジ外カバー
９２  第２ヒンジ
９３  嵌合爪
９４  ネジ穴
１００  電子機器
【図１】
2010178189.tif 000003
【図２】
2010178189.tif 000004
【図３】
2010178189.tif 000005
【図４】
2010178189.tif 000006